(57)【特許請求の範囲】
【請求項１】
体にあてがう布製又はビニル樹脂製であり、人又は動物の形を有するパッド本体と、
該パッド本体に設けられ、
手足状をなし、
シートベルトの肩ベルトを通すための２本の肩ベルト通し部と、
シートベルトの腰ベルトを通すための２本の腰ベルト通し部と、
前記パッド本体の長手方向に並設された２個の面ファスナ、ホック、又はスナップからなり、前記肩ベルトを前記パッド本体に斜め掛けする方向に対応して各肩ベルト通し部の端部を各別に固着する肩ベルト通し部着脱手段と、
前記パッド本体の長手方向に交叉する方向に並設された２個の面ファスナ、ホック、又はスナップからなり、前記腰ベルトを２箇所で拘束する腰ベルト通し部着脱手段と
を備えることを特徴とするシートベルトパッド。
【発明の詳細な説明】
【技術分野】
【０００１】
本発明は、自動車のシートベルトに装着するシートベルトパッドに関する。
【背景技術】
【０００２】
自動車のシートベルトとしては、肩部から腰部にかけて斜め掛けするとともに、腰部の一端部から他端部にかけて橋渡しする三点式のもの等がある。このシートベルトは、着用者の体の大きさに応じてベルトの長さを調節して着用される。シートベルトは、丈夫な固い布地によって構成されているが、直接体に触れるものであるにも関わらず、感触は悪く、締め付け感がある。
そこで、このシートベルトの肩ベルトに巻き付けて体への接触感・締付け感を和らげるためのシートベルトパッドが開発されている。
【０００３】
特許文献１には、チャイルドシートの２本の肩ベルトのそれぞれに巻き付けて固定される一対のシートベルトパッドの発明が開示されており、この一対のシートベルトパッドの表側にエプロンが橋渡しされた状態で取り付けられる。このエプロンにより、汗やよだれの吸収が図られている。
【特許文献１】特開２００１−２１９８１３号公報
【発明の開示】
【発明が解決しようとする課題】
【０００４】
しかし、従来のシートベルトパッドは、肩ベルトの一部に取り付けられるものであり、体への接触感及び締付け感を和らげるという効果が不十分であり、特に子供の場合、腹部へのシートベルトの当接及び締め付けに不快感を示すので、腹部への接触感及び締付け感を和らげる必要があった。
また、従来のシートベルトパッドとして、アクリル樹脂等のプラスチック製のものもあったが、プラスチック製であれば事故等の場合に破損しやすく、着用者がけがをするおそれがあり、安全上の問題があった。そして、シートベルトへの取り付け作業が煩雑であるという問題があった。
さらに、子供はシートベルトパッドにより体への接触感及び締付け感が和らげられるとしても、元来、シートベルトの着用を嫌がるので、シートベルトパッドが子供が好む形状を有し、子供がシートベルトを着用するのを促すことが出来るシートベルトパッドが望まれていた。
【０００５】
本発明は、斯かる事情に鑑みてなされたものであり、体にあてがう布製又はビニル樹脂製のパッド本体と、シートベルトの肩ベルトを通す肩ベルト通し部と、シートベルトの腰ベルトを通す腰ベルト通し部とを備えることにより、容易にシートベルトに取り付けることが出来、胸部及び腹部に亘ってシートベルトの接触感及び締め付け感が和らげられ、当たりがソフトで、破損のおそれがないシートベルトパッドを提供することを目的とする。
【０００６】
また、本発明は、パッド本体が人又は動物の形を有し、肩ベルト通し部又は腰ベルト通し部が手足の形を有することにより、子供が親しみやすい形状を有するので、子供が嫌がらずにシートベルトの着用をすることが図られるシートベルトパッドを提供することを目的とする。
【課題を解決するための手段】
【０００７】
第１発明に係るシートベルトパッドは、体にあてがう布製又はビニル樹脂製であり、人又は動物の形を有するパッド本体と、該パッド本体に設けられ、手足状をなし、シートベルトの肩ベルトを通すための２本の肩ベルト通し部と、シートベルトの腰ベルトを通すための２本の腰ベルト通し部と、前記パッド本体の長手方向に並設された２個の面ファスナ、ホック、又はスナップからなり、前記肩ベルトを前記パッド本体に斜め掛けする方向に対応して各肩ベルト通し部の端部を各別に固着する肩ベルト通し部着脱手段と、前記パッド本体の長手方向に交叉する方向に並設された２個の面ファスナ、ホック、又はスナップからなり、前記腰ベルトを２箇所で拘束する腰ベルト通し部着脱手段とを備えることを特徴とする。
【０００８】
本発明においては、肩ベルト通し部に肩ベルトを通し、腰ベルト通し部に腰ベルトを通して、肩ベルト及び腰ベルトを拘束した状態で、パッド本体を体にあてがうので、シートベルトへの取り付けが容易であるとともに、胸部及び腹部に亘ってシートベルトの接触感及び締め付け感が和らげられる。
また、シートベルトパッドは、布製又はビニル樹脂製であるので、当たりがソフトであり、破損のおそれがない。そして、パッド本体内部への詰め物の量を適宜設定することで、ある程度、体を保護することが可能である。
さらに、本発明においては、肩ベルトを２箇所で拘束するので、シートベルトパッドの体への固定が安定する。
そして、本発明においては、肩ベルト通し部の端部をパッド本体から取り外し、肩ベルトを通した後、再度、端部をパッド本体に取り付けることで、シートベルトのバックルの位置に関わらず、容易に、肩ベルト通し部に、肩ベルトを通すことが出来る。
また、肩ベルト通し部を２個有し、この肩ベルト通し部の端部が着脱自在であるので、人の乗車位置により、肩ベルトが右肩から腰の左側に斜め掛けされるとき、肩ベルトが左肩から腰の右側に斜め掛けされるとき、それぞれに対応させて肩ベルトを固定することが出来る。
さらに、本発明においては、腰ベルトを２箇所で拘束するので、シートベルトパッドの体への固定が安定する。
そして、本発明においては、腰ベルト通し部の端部をパッド本体から取り外し、腰ベルトを通した後、再度、前記端部をパッド本体に取り付けることで、シートベルトのバックルの位置に関わらず、容易に、腰ベルト通し部に、腰ベルトを通すことが出来る。
また、本発明においては、シートベルトパッドが子供が親しみやすい形状を有するので、子供が嫌がらずにシートベルトの着用をすることが図られる。
【発明の効果】
【００１９】
本発明によれば、肩ベルト通し部に肩ベルトを通し、腰ベルト通し部に腰ベルトを通して、肩ベルト及び腰ベルトを拘束した状態で、パッド本体を体にあてがうので、胸部及び腹部に亘ってシートベルトの接触感及び締め付け感が和らげられるとともに、シートベルトへの取り付けが容易である。
そして、シートベルトパッドは、布製又はビニル樹脂製であるので、当たりがソフトであり、事故等が生じた場合でも破損のおそれがない。そして、パッド本体内部への詰め物の量を適宜設定することで、ある程度、体を保護することが可能である。
【００２０】
また、本発明によれば、肩ベルト通し部及び腰ベルト通し部のうちの少なくとも一方は、一部がパッド本体に着脱自在であるので、シートベルトのバックルの位置に関わらず、容易に、肩ベルト通し部又は腰ベルト通し部に、肩ベルト又は腰ベルトを通すことが出来る。
また、肩ベルトが右肩から腰の左側に斜め掛けされるとき、肩ベルトが左肩から腰の右側に斜め掛けされるとき、それぞれに対応させて肩ベルトを固定することが出来る。
【００２１】
そして、本発明によれば、パッド本体が人又は動物の形を有し、肩ベルト通し部又は腰ベルト通し部が手足の形を有するので、子供が親しみやすく、子供が嫌がらずにシートベルトの着用をすることが図られる。
【発明を実施するための最良の形態】
【００２２】
以下、本発明をその実施の形態を示す図面に基づき、詳細に説明する。
【００２３】
実施の形態１．
図１は、本発明の実施の形態１に係るシートベルトパッド１を示す平面図である。
シートベルトパッド１のパッド本体２は、表側を起毛させた布地を２枚、熊の形に縫い合わせてなる。パッド本体２の長さは略２８．５ｃｍ、幅は略２１．５ｃｍである。パッド本体２は、内部に、中綿材等の詰め物を適宜の量含んでいる。
シートベルトパッド１は、パッド本体２の胴体に相当する部分に、腕の形をなす一対の肩ベルト通し部３，３と、脚の形をなす一対の腰ベルト通し部４，４とを備える。
【００２４】
図２は、肩ベルト通し部３，３と、腰ベルト通し部４，４とを広げた状態を示す平面図である。
肩ベルト通し部３，３の一端部（腕の付け根側）、及び腰ベルト通し部４，４の一端部（脚の付け根側）は、パッド本体２に縫い付けられている。肩ベルト通し部３，３の他端部（手側）の裏面には面ファスナのループ部３１，３１が縫い付けられており、腰ベルト通し部４，４の他端部（足側）の裏面には面ファスナのループ部４１，４１が縫い付けられている。
パッド本体２の胴体部分の中央部には、上下方向に２箇所、前記ループ部３１，３１を係止させるためのフック部３２，３２が縫い付けられている。
パッド本体２の胴体部分の底部には、左右方向に２箇所、前記ループ部４１，４１を係止させるためのフック部４２，４２が縫い付けられている。
【００２５】
図３は、シートベルトパッド１を使用した状態を示す斜視図である。
子供１０は、自動車の座席１１に座っている。
シートベルト１２の肩ベルト１３は、座席１１の背もたれ部の上部左側の裏面に設けられた引き出し部（図示せず）から引き出されるように構成されている。腰ベルト１４は、一端部が座席１１の座部の左側の固定部１７に固定されている。バックル１５を手にして、前記引き出し部から肩ベルト１３を、座席１１の上部左側から座席１１の座部右側に向け、斜め方向に引き出すことで、肩ベルト１３を子供１０の体に斜め掛けするとともに、腰ベルト１４を座席１１の座部の左側から右側に向けて橋渡しすることが出来る。バックル１５は、座席１１の座部の右側に設けられたバックル固定部１６に挿入されて固定される。
【００２６】
本実施の形態においては、子供１０と肩ベルト１３及び腰ベルト１４との間に、シートベルトパッド１が介在する。
肩ベルト１３は、シートベルトパッド１の肩ベルト通し部３，３の内側を通され、腰ベルト１４は腰ベルト通し部４，４の内側を通されている。
シートベルトパッド１をシートベルト１２に装着する場合、まず、肩ベルト通し部３，３のループ部３１，３１をパッド本体２のフック部３２，３２から外し、肩ベルト１３を子供１０の左肩から右側腰部に斜め掛けした上で、左側の肩ベルト通し部３が右側の肩ベルト通し部３の上側に位置するようにして、ループ部３１，３１をフック部３２，３２に係止させ、肩ベルト１３をパッド本体２に拘束する。そして、腰ベルト通し部４，４のループ部４１，４１をパッド本体２のフック部４２，４２から外し、腰ベルト１４を左右方向に橋渡しした上で、ループ部４１，４１をフック部４２，４２に係止させて、腰ベルト１４をパッド本体２に拘束する。
【００２７】
以上のように、本実施の形態においては、容易にシートベルトパッド１が肩ベルト１３及び腰ベルト１４に取り付けられ、パッド本体２が、子供１０の胸部及び腹部に亘ってあてがわれるので、肩ベルト１３及び腰ベルト１４の接触感及び締め付け感が和らげられる。
【００２８】
また、シートベルトパッド１は、布製であるので、当たりがソフトであり、破損のおそれがなく、安心である。そして、パッド本体２の内部への中綿材等の詰め物の量を適宜設定することで、ある程度、体を保護することが可能である。
【００２９】
そして、本実施の形態においては、シートベルトパッド１が子供が親しみやすい熊の形状を有するので、子供が嫌がらずにシートベルト１２の着用をすることが図られる。
【００３０】
図４は、シートベルトパッド１を座席１１と自動車の長手方向に対し反対側の座席２１において使用した状態を示す斜視図である。
子供１０は、自動車の座席２１に座っている。
シートベルト２２の肩ベルト２３は、座席２１の背もたれ部の上部右側の裏面に設けられた引き出し部（図示せず）から引き出されるように構成されている。腰ベルト２４は、一端部が座席２１の座部の右側の固定部２７に固定されている。バックル２５を手にして、前記引き出し部から肩ベルト２３を、座席２１の上部右側から座席２１の座部左側に向け、斜め方向に引き出すことで、肩ベルト２３を子供１０の体に斜め掛けするとともに、腰ベルト２４を座席２１の座部の右側から左側に向けて橋渡しすることが出来る。バックル２５は、座席２１の座部の左側に設けられたバックル固定部２６に挿入されて固定される。
【００３１】
子供１０と肩ベルト２３及び腰ベルト２４との間に、シートベルトパッド１が介在されている。
肩ベルト２３は、シートベルトパッド１の肩ベルト通し部３，３の内側を通され、腰ベルト２４は腰ベルト通し部４，４の内側を通されている。
シートベルトパッド１のシートベルト２２に装着する場合、まず、肩ベルト通し部３，３のループ部３１，３１をパッド本体２のフック部３２，３２から外し、肩ベルト２３を子供１０の右肩から左側腰部に斜め掛けした上で、右側の肩ベルト通し部３が左側の肩ベルト通し部３の上側に位置するようにして、ループ部３１，３１をフック部３２，３２に係止させ、肩ベルト２３をパッド本体２に拘束する。そして、腰ベルト通し部４，４のループ部４１，４１をパッド本体２のフック部４２，４２から外し、腰ベルト２４を左右方向に橋渡しした上で、ループ部４１，４１をフック部４２，４２に係止させて、腰ベルト２４をパッド本体２に拘束する。
【００３２】
以上のように、本実施の形態においては、２個の肩ベルト通し部３，３の一端部が着脱自在であるので、子供１０の乗車位置によって、肩ベルト１３が左肩から腰の右側に斜め掛けされるとき、肩ベルト２３が右肩から腰の左側に斜め掛けされるとき、それぞれに対応させて肩ベルト１３又は２３をパッド本体２に固定することが出来る。
なお、子供１０は、直接座席１１，２１に着席するのではなく、座部からなるチャイルドシートを介して座席１１，２１に着席してもよい。
【００３３】
実施の形態２．
図５は、本発明の実施の形態２に係るシートベルトパッド５を示す平面図である。
シートベルトパッド５のパッド本体６は、表側を起毛させた布地を２枚、羊の形に縫い合わせてなる。パッド本体６は、内部に、中綿材等の詰め物を適宜の量含んでいる。
シートベルトパッド５は、パッド本体６の胴体に相当する部分に、腕の形をなす一対の肩ベルト通し部７，７と、脚の形をなす一対の腰ベルト通し部８，８とを備える。
肩ベルト通し部７，７の先端部（手側）７１，７１の裏面には面ファスナのループ部（図示せず）が設けられており、パッド本体６に設けられたフック部（図示せず）に係止されている。同様に、腰ベルト通し部８，８の先端部（足側）８１，８１の裏面には面ファスナのループ部（図示せず）が設けられており、パッド本体６に設けられたフック部（図示せず）に係止されている。
【００３４】
本実施の形態においては、肩ベルト通し部７，７にシートベルトの肩ベルトが通され、腰ベルト通し部８，８に腰ベルトが通されて、容易にシートベルトパッド５が肩ベルト及び腰ベルトに取り付けられる。そして、パッド本体６が、人の胸部及び腹部に亘ってあてがわれるので、肩ベルト及び腰ベルトの接触感及び締め付け感が和らげられる。
また、肩ベルト通し部７，７は面ファスナによりパッド本体６から着脱自在であり、人の乗車位置によって、肩ベルトが左肩から腰の右側に斜め掛けされるとき、肩ベルトが右肩から腰の左側に斜め掛けされるとき、それぞれに対応させて肩ベルトを固定することが出来る。
【００３５】
なお、前記実施の形態１及び２においては、肩ベルト通し部３，７及び腰ベルト通し部４，８の数がそれぞれ２個である場合につき説明しているがこれに限定されるものではない。
また、肩ベルト通し部３，７及び腰ベルト通し部４，８のパッド本体２，６への着脱手段も面ファスナに限定されず、ホック、スナップ等により着脱することにしてもよい。腰ベルト通し部４，８の場合、腰ベルトを腰ベルト通し部４，８の内側を通すことが出来る態様であれば、腰ベルト通し部４，８の先端部もパッド本体２，６に縫い付けることにしてもよい。
さらに、シートベルトパッド１，５の材質は、表側が起毛した布に限定されず、タオル地等でもよく、軟質であるビニル樹脂製であってもよい。シートベルトパッド１，５の形状も熊及び羊の形状に限定されず、他の動物及び人であってもよい。
本発明のシートベルトパッドは、種々の設計変更が可能である。
【図面の簡単な説明】
【００３６】
【図１】本発明の実施の形態１に係るシートベルトパッドを示す平面図である。
【図２】肩ベルト通し部と、腰ベルト通し部とを広げた状態を示す平面図である。
【図３】シートベルトパッドを使用した状態を示す斜視図である。
【図４】シートベルトパッドを反対側の座席において使用した状態を示す斜視図である。
【図５】本発明の実施の形態２に係るシートベルトパッドを示す平面図である。
【符号の説明】
【００３７】
１、５  シートベルトパッド
２、６  パッド本体
３、７  肩ベルト通し部
４、８  腰ベルト通し部
１２、２２  シートベルト
１３、２３  肩ベルト
１４、２４  腰ベルト
３１、４１  ループ部
３２、４２  フック部
７１、８１  先端部
【図１】
0004610513.tif 000002
【図２】
0004610513.tif 000003
【図３】
0004610513.tif 000004
【図４】
0004610513.tif 000005
【図５】
0004610513.tif 000006